(57)【要約】  有機性廃棄物の発生量が変動するために生じる有機性廃棄物処理の負荷を分散させ、有機性廃棄物処理を低コストで効率よく行えることができる有機性廃棄物処理システムの提供を課題とする。そのために、第１処理槽１のメタン発酵処理の発酵時間の設定値に基づいて、第２処理槽２の少なくとも最上流の槽２１を、好気性状態から嫌気性状態へまたは嫌気性状態から好気性状態へ切り替えられるように構成することによって、第１処理槽１にかかる有機性廃棄物処理の負荷変動をバランスよく分散させ、有機性廃棄物の処理量の最大量にあわせて第１処理槽１を設計する必要がないようにして、低コストの有機性廃棄物処理システムを提供する。
2010052804.tif 000002
【特許請求の範囲】
【請求項１】
有機性廃棄物を発酵処理する有機性廃棄物処理システムであって、
有機性廃棄物を嫌気性発酵させる第１処理槽と、
前記第１処理槽からの発酵液を微生物処理する第２処理槽と、を備え、
前記第２処理槽は、直列に接続された複数の槽からなり、少なくとも最上流の槽は好気性処理条件と嫌気性処理条件の双方に切り替え可能に構成されていることを特徴とする有機性廃棄物処理システム。
【請求項２】
請求項１に記載の有機性廃棄物処理システムにおいて、前記有機性廃棄物の前記第１処理槽での滞留時間が前記有機性廃棄物の発生源における発生量の変動によって設定値以下になるときは、前記第２処理槽の少なくとも最上流の槽で嫌気性処理を行い、他の槽では好気性処理を行う制御を実行する制御部を備えていることを特徴とする有機性廃棄物処理システム。
【請求項３】
請求項１または２のいずれか１項に記載の有機性廃物処理システムにおいて、前記第１処理槽で発生したバイオガスを利用するバイオガス利用装置を備え、第２処理槽において嫌気性処理して生成したバイオガスを前記バイオガス利用装置に送るように構成されていることを特徴とする有機性廃棄物処理システム。
【請求項４】
請求項１から３のいずれか１項に記載の有機性廃物処理システムにおいて、前記第２処理槽で嫌気性と好気性が切り替え可能に構成された槽は、該槽内から隣接する槽内への処理液の流入部が液面下に設けられていることを特徴とする有機性廃棄物処理システム。
【請求項５】
請求項１から３のいずれか１項に記載の有機性廃物処理システムにおいて、前記第２処理槽は、単一の槽を堰で区画して、直列多槽構造としたことを特徴とする有機性廃棄物処理システム。
【請求項６】
請求項１から３のいずれか１項の有機性廃棄物処理システムにおいて、前記第２処理槽に空気を送り込む送気手段を備えていることを特徴とする有機性廃棄物処理システム。
【発明の詳細な説明】
【技術分野】
【０００１】
本発明は、有機性廃棄物の処理において、有機性廃棄物の発生量が変動するために生じる有機性廃棄物処理の負荷を分散させるための有機性廃棄物処理システムに関するものである。
【背景技術】
【０００２】
従来より、家畜糞尿、生ごみ、下水処理汚泥等の有機性廃棄物をメタン発酵処理（嫌気性処理）し、発酵処理によって発生するメタンガスを回収して発電や熱源として利用する技術が知られている（特許文献１）。【０００３】
特許文献１の図１では、有機性廃棄物をメタン発酵槽でメタン菌によってメタン発酵処理し、発酵処理によって発生したメタンガスを脱硫塔で硫化水素などを除去することによって精製バイオガスとし、回収して熱源等として利用する技術が開示されている。更に、メタン発酵処理によって生じたメタン発酵槽中の発酵液を調整槽に移し、アンモニアが放散され易い状態にするためｐＨ調整した後、好気性処理を行うためエアレーションタンクに移して空気を導入し、エアレーションにより生成する放散アンモニアを含む空気をアンモニアトラップ処理して、アンモニア溶液として回収する技術が開示されている。  
また、アンモニア放散後のエアレーションタンク内の発酵残渣を、固液分離機に導入し、液分は水処理設備で浄化した後に放流し、固形分は堆肥設備で肥料化して農地還元する技術も開示されている。【０００４】
上記技術では、有機性廃棄物から高収率で精製バイオガスを得るために、メタン発酵槽での滞留時間を充分にとって有機性廃棄物をメタン発酵処理している。【０００５】
しかし、従来より、実際に有機性廃棄物を処理する際には以下の様な欠点が生じていた。【０００６】
例えば、畜舎から出る糞尿由来の有機性廃棄物を処理する場合、夏場は家畜を放牧する時間が長いため家畜が畜舎にいる時間が短くなるので、家畜糞尿由来の有機性廃棄物の量はそれ程多くないが、逆に、冬場は家畜を放牧する時間が短いため家畜が畜舎にいる時間が長くなるので、家畜糞尿由来の有機性廃棄物の量が多くなる。【０００７】
そして、メタン発酵槽は、家畜糞尿由来の有機性廃棄物の処理量が多くなる冬場であっても滞留時間を充分にとってじっくりとメタン発酵させるようにするため、冬場に発生する家畜糞尿由来の有機性廃棄物の量に応じて設計される。つまり、家畜糞尿由来の有機性廃棄物の発生量が最大になる場合に合わせてメタン発酵槽が設計されていた。よって設備が大型化する傾向にあった。【０００８】
ところが、夏場になると発生する家畜糞尿由来の有機性廃棄物の量が減少するため、冬場に発生する家畜糞尿由来の有機性廃棄物の量に合わせて設計されたメタン発酵槽では、処理する有機性廃棄物の量が少なくなり運転を止めるような場合が生じ（システムの稼動率が下がる）、有機性廃棄物処理を行う上で効率も悪く、コスト的にも割りに合わない状況が生じていた。【０００９】
逆に、夏場に発生する家畜糞尿由来の有機性廃棄物の量に応じてメタン発酵槽を設計すると、メタン発酵槽は小さく設計できるが、冬場に発生する家畜糞尿由来の有機性廃棄物の量をすべて処理するには、設計したメタン発酵槽の規模では充分な滞留時間がとれず、精製バイオガスの収率が落ちてしまうという欠点があった。【００１０】
つまり、冬場では家畜糞尿由来の有機性廃棄物の発生量が多くなるのでメタン発酵槽にかかる負荷が大きくなり、逆に、夏場では家畜糞尿由来の有機性廃棄物の発生量が少なくなるのでメタン発酵槽にかかる負荷が小さくなる。【００１１】
なお、家畜糞尿由来の有機性廃棄物に限らず、生ごみや下水処理汚泥等由来の有機性廃棄物もまた家畜糞尿由来の有機性廃棄物ほど季節との関係はないものの、発生量に変動があるため、その処理については上記家畜糞尿由来の有機性廃棄物と同様の問題点を抱えていた。
【発明の開示】
【発明が解決しようとする課題】
【００１２】
本発明はこのような事情に鑑みなされたもので、有機性廃棄物の発生量が変動するために生じる有機性廃棄物処理の負荷を分散させるための有機性廃棄物処理システムを提供するものである。
【課題を解決するための手段】
【００１３】
上記目的を達成するために本発明に係る有機性廃棄物処理システムの第１の態様は、有機性廃棄物を発酵処理する有機性廃棄物処理システムであって、有機性廃棄物を嫌気性発酵させる第１処理槽と、前記第１処理槽からの発酵液を微生物処理する第２処理槽と、を備え、前記第２処理槽は直列に接続された複数の槽からなり、少なくとも最上流の槽は好気性処理条件と嫌気性処理条件の双方に切り替え可能に構成されていることを特徴とする。【００１４】
本態様によれば、第１処理槽の容量を有機性廃棄物の発生量の最大量より小さく設定することができ、設備の大型化を防止できる。  
そして、第２処理槽の少なくとも最上流の槽は、好気性処理条件と嫌気性処理条件の双方に切り替えが可能であるように構成されているので、有機性廃棄物の第１処理槽でのメタン発酵が十分になされていれば（有機性廃棄物の発生量が少ない場合）、第１処理槽からの発酵液を第２処理槽では好気性処理を行う。一方、有機性廃棄物の第１処理槽でのメタン発酵が不十分であれば（有機性廃棄物の発生量が多い場合）、第１処理槽からの発酵液を第２処理槽の少なくとも最上流の槽で嫌気性処理を行うことによって、第１処理槽で発酵が不十分だったために生成しきれなかったバイオガスを生成させ回収することが出来る効果を有する。さらに、第２処理槽の最上流の槽で嫌気性処理が行われた発酵液は、直列に複数接続されている下流の各槽で好気性処理を行うことが可能である。  
すなわち、有機性廃棄物の発生量が変動することによる負荷がバランスよく分散されるようになっている。【００１５】
本発明に係る有機性廃棄物処理システムの第２の態様は、第１の態様における有機性廃棄物処理システムにおいて、前記有機性廃棄物の前記第１処理槽での滞留時間が前記有機性廃棄物の発生源における発生量の変動によって設定値以下になるときは、前記第２処理槽の少なくとも最上流の槽で嫌気性処理を行い、他の槽では好気性処理を行う制御を実行する制御部を備えていることを特徴とする。【００１６】
本態様によれば、有機性廃棄物の発生源における発生量の変動によって、第１処理槽での滞留時間が設定値以下になる場合には、すなわち第１処理槽において、有機性廃棄物の処理量が多くなり（負荷が大きくなり）メタン発酵が十分でない場合には、第２処理槽の少なくとも最上流の槽で嫌気性処理を行い、他の槽では好気性処理を行うことによって、第１処理槽の有機性廃棄物の処理の負荷を分散できる効果を有する。さらに、第１処理槽の有機性廃棄物の処理の負荷を分散できることから、第１処理槽を小さく設計することができ、低コストで第１処理槽を製造できる。【００１７】
本発明に係る有機性廃棄物処理システムの第３の態様は、第１の態様または第２の態様における有機性廃物処理システムにおいて、前記第１処理槽で発生したバイオガスを利用するバイオガス利用装置を備え、第２処理槽において嫌気性処理して生成したバイオガスを前記バイオガス利用装置に送るように構成されていることを特徴とする。【００１８】
本態様によれば、第１処理槽でメタン発酵によって生成したバイオガスを回収して利用すると共に、第１処理槽でメタン発酵が不十分なために、すなわち滞留時間が設定値以下で処理されたためにバイオガスが十分に生成しきれなかった場合であっても、第２処理槽において嫌気性処理することによってバイオガスを生成させる。そして、そのバイオガスをバイオガス利用装置に送ることによって、より多くのバイオガスを利用することができる効果を有している。【００１９】
本発明に係る有機性廃棄物処理システムの第４の態様は、第１の態様から第３の態様のいずれか１つの態様における有機性廃物処理システムにおいて、前記第２処理槽で嫌気性と好気性が切り替え可能に構成された槽は、該槽内から隣接する槽内への処理液の流入部が液面下に設けられていることを特徴とする。【００２０】
本態様によれば、第２処理槽の嫌気性と好気性が切り替え可能に構成された槽から隣接する他の槽内への発酵液の流入部を液面下に設けることにより、該槽の嫌気性を容易に保つことが可能となる。【００２１】
本発明に係る有機性廃棄物処理システムの第５の態様は、第１の態様から第３の態様のいずれか１つの態様における有機性廃物処理システムにおいて、前記第２処理槽は、単一の槽を堰で区画して、直列多槽構造としたことを特徴とする。【００２２】
本態様によれば、第２処理槽の単一の槽を、堰で区画して直列多槽構造とすることにより、区画された槽でそれぞれ別々の処理（好気性処理又は嫌気性処理）を行うことが出来るという効果を有する。また、堰を設けるだけで区画された単一の槽を製造できるので、個々に槽を複数個製造するよりも低コストで槽を製造することができる。【００２３】
本発明に係る有機性廃棄物処理システムの第６の態様は、第１の態様から第３の態様のいずれか１つの態様における有機性廃棄物処理システムにおいて、前記第２処理槽に空気を送り込む送気手段を備えていることを特徴とする。【００２４】
好気性の槽といっても、上面が開放されているのみでは、槽の上部の部分は好気性となるが下部の部分は嫌気性となる傾向がある。すなわち、１つの槽の中で好気性と嫌気性の部分が存在し槽全体が好気性にはなっていない。そこで、本態様によれば、送気手段を使って空気を槽内に送り込むことで槽全体を好気性にすることが出来る。また、送気手段による送気を止めることによって嫌気性の槽から好気性の槽に短時間で容易に切り替えることが出来る。
【発明の効果】
【００２５】
本発明によれば、有機性廃棄物の発生量が変動するために生じる有機性廃棄物処理の負荷を分散させ、低コストで効率よく有機性廃棄物を処理できる有機性廃棄物処理システムの実現が可能となる。さらに、バイオガスの生成量を多く確保することも可能となる。
【図面の簡単な説明】
【００２６】
【図１】本発明の第１の実施形態に係る有機性廃棄物処理システムの概略図。
【図２】本発明の第１の実施形態に係る有機性廃棄物処理システムの概略図。
【図３】本発明の第２の実施形態に係る有機性廃棄物処理システムの概略図。
【図４】本発明に係る第２処理槽の平面図。
【図５】本発明の第３の実施形態に係る有機性廃棄物処理システムの概略図。
【発明を実施するための形態】
【００２７】
以下、図を参照しながら、本発明に係る有機性廃棄物処理システムの実施形態について説明する。なお、本発明は以下の実施形態に限定されるものではない。
【００２８】
［第１の実施態様］
本発明の有機性廃棄物処理システムの第１の実施態様を図１及び図２を参照にしながら説明する。  
図１は、有機性廃棄物の発生量が少なく第１処理槽１でのメタン発酵の滞留時間が設定値あるいは設定値より多く（長く）取れ、有機性廃棄物が十分にメタン発酵処理される際における本発明のシステムの概要をあらわしたものである。
【００２９】
有機性廃棄物の発生源である畜舎１１から発生した家畜の糞尿（有機性廃棄物）は、嫌気性の状態が保たれた配管５ａに排出され、完全嫌気状態にある第１処理槽１（メタン発酵槽）に導入される。  
そして、第１処理槽１でメタン発酵によって生成されるバイオガスは、バイオガス収集管６ａで収集され、その後脱硫装置４で硫化水素等が除去される。そして、精製バイオガスとしてバイオガス利用装置７に送られ、電力、燃料等に利用される。
【００３０】
一方、第１処理槽１内の発酵後の発酵液は、配管５ｂを通じて直列多槽構造に区画された第２処理槽２に導入され、そこで発酵処理される。ここで、本実施態様の場合は、第２処理槽２の上流から下流において堰２ｄ、２ｅ、２ｆで仕切られた各槽２１、２２、２３、２４において好気性処理が行われる。なお、配管５ｂの配設状態は好気性の状態でも嫌気性の状態でもどちらであっても良い。
【００３１】
第２処理槽２の各層２１、２２、２３、２４において好気性処理のみを行う場合は、第１処理槽１における家畜糞尿（有機性廃棄物）の処理量が比較的少ない場合、すなわち、第１処理槽１における処理の負荷が小さく（通常は夏場）、第１処理槽１でのメタン発酵の滞留時間が設定値あるいは設定値より多く取れ、家畜糞尿が十分にメタン発酵処理されるときである。その理由は、第１処理槽で既に十分なメタン発酵が行われ、家畜糞尿から発生するバイオガスを殆ど回収できるためである。
【００３２】
なお、第２処理槽２の各槽２１、２２、２３、２４は、第１処理槽で処理された発酵液を好気性処理するための槽なので、有機性廃棄物である家畜糞尿自体を処理する第１処理槽に較べてかなり小さく設計することが可能である。したがって低コストで設計することができる。
【００３３】
第２処理槽２の上流から下流に発酵液が流れる際には、各槽の下部に設けられた流入部２ａ、２ｂ、２ｃを通じて、各槽から発酵液が下流の槽へ流れる構造となっている。なお、本実施態様では、流入部２ａ、２ｂ、２ｃを設ける位置は各槽の下部に限られない。
【００３４】
第２処理槽２の各層２１、２２、２３、２４において好気性処理された発酵液は、配管５ｃを通じて脱窒装置３に導入され、窒素低減処理を行った後、ライン３ａを介して放流あるいは農地へ還元される。この際、配管５ｃは好気状態で構わない。また、本実施例では配管５ｃは第２処理槽の槽２４の上部に配設されているが下部に配設しても良い。
【００３５】
本発明で処理される有機性廃棄物は、上述した畜舎１１から発生する家畜の糞尿以外に、例えば、緑農廃棄物や排水処理汚泥などが挙げられる。ここで緑農廃棄物としては、家庭の生ごみのほか、産業廃棄物生ごみとして農水産業廃棄物、食品加工廃棄物等が含まれる。
【００３６】
また、本発明で使用される第１処理槽１のメタン発酵槽は、絶対嫌気性のメタン発酵菌による活動を維持するために、空気を完全に遮断したタンクにより構成されることが望ましい。メタン発酵槽は固形物濃度（通常３〜４０重量％の範囲）と発酵温度（通常、中温発酵では約３７℃、高温発酵では約５５℃、超高温発酵では約６０℃）によって、形状や運転条件が異なってくる。例えば、高含水率になった原料（固形物濃度１０重量％まで）の場合は湿式型の完全混合方式の発酵槽、低含水率の原料（固形物濃度３０〜４０重量％）の場合は、いわゆる乾式型のプラグフロー式（押出し式）の発酵槽を用いることが好ましい。なお、第１処理槽１のメタン発酵槽内のメタン発酵菌による活動を維持するために、有機性廃棄物発生源１０から発生する有機性廃棄物を第１処理槽１へ送る配管５ａも空気を完全に遮断する構造とするのが好ましい。なお、完全嫌気の状態が保てればタンクでなくとも良い。
【００３７】
本発明では、使用する第１処理槽１の大きさは、処理する有機性廃棄物の処理量に応じて任意の大きさに設計することができるが、本発明の目的を達成するためには、第１処理槽の容量を有機性廃棄物の発生量の最大量より小さく設定するのがよい。好ましくは有機性廃棄物の発生量の最大量の半分以下であることが望ましい。また、本実施態様では、第１処理槽を１台設置しているが、規模に応じて複数台設置しても良い。更に、メタン発酵槽１には必要に応じて保温のための加熱手段を設けておいてもよい。  
第１処理槽１内で行われるメタン発酵処理の滞留時間は、中温発酵では２０〜３０日間程度、高温発酵では１５日間程度、超高温発酵では１０日間程度である。
【００３８】
図２は、有機性廃棄物の発生量が多く第１処理槽１でのメタン発酵の滞留時間が設定値以下となり、有機性廃棄物のメタン発酵処理が不十分な場合における本発明のシステムの概要をあらわしたものである。
【００３９】
第１処理槽１でのメタン発酵が不十分な場合では、第２処理槽２の各槽２１、２２、２３、２４のうちで少なくとも最上流の槽２１において嫌気性処理を行い、他の槽２２、２３、２４では好気性処理を行うようになっている。槽２１に後述するカバーシート２１ａが設けられて嫌気性状態を作るようになっている。
【００４０】
第２処理槽２の最上流の槽２１において嫌気性処理を必要とする場合は、第１処理槽１における家畜糞尿（有機性廃棄物）の処理量が多い場合、すなわち、第１処理槽１における処理の負荷が大きく（通常は冬場）、多量の家畜糞尿を処理しなければならないため、第１処理槽１でのメタン発酵の滞留時間が設定値以下の場合である。  
つまり、第１処理槽１でのメタン発酵が不十分であるため、第２処理槽の最上流である槽２１で第１処理槽１からの発酵液を嫌気性処理し、第１処理槽で発生しきれなかったバイオガスを発生させ回収できるようになっている。よって、槽２１には発生するバイオガスを収集するためのバイオガス収集管６ｂが配設されている。
【００４１】
ここで、第２処理槽２の各槽２１、２２、２３、２４は、第１処理槽で処理された発酵液を処理するための槽なので、有機性廃棄物である家畜糞尿自体を処理する第１処理槽に較べてかなり小さく設計することが可能である。
【００４２】
従って、有機性廃棄物である家畜糞尿を多量に処理するために第１処理槽を増設するよりは、第２処理槽２に槽を直列的に複数設けた方がコストを低く抑えることができることとなる。  
なお、第２処理槽２の槽は、槽２２、２３、２４とあるので好気性処理を行うには容量的に十分であり、最上流である槽２１を嫌気性処理槽として使用しても、好気性処理を妨げるほどのことにはならない。
【００４３】
また、槽２１は完全嫌気性であることが好ましく、そのため配管５ｂも完全嫌気性の状態を保っていることが望ましい。更に、槽２１から下流の槽２２へ発酵液を流入させるための流入部２ａは槽２１の発酵液の液面下に設けるのが好ましい。液面より上部に流入部を設けることとすると、その部分から空気が槽２１に入り込む可能性があり嫌気性の状態を保てないからである。  
なお、嫌気性処理は、第１処理槽１の有機性処理物に対するメタン発酵の状況に応じて、複数の槽で行っても良い。
【００４４】
本発明の第１の実施態様は、有機性廃棄物の発生量に起因して、第１処理槽１における有機性廃棄物のメタン発酵の状況に応じ、図１の状態から図２の状態、すなわち第２処理槽２の最上流の槽２１を好気性の状態から嫌気性の状態に切り替えることが出来る態様である。
【００４５】
［第２の実施態様］
次に、本発明の有機性廃棄物処理システムの第２の実施態様を、図３を参照にしながら説明する。なお、第１の実施態様、第２の実施態様と同一の部分については説明を省略する。
【００４６】
第２の実施態様は、カバーシート２１ａ及び制御部８が設けられ、第２処理槽２の最上流の槽２１を好気性状態から嫌気性状態へ、あるいは嫌気性状態から好気性状態へ自動的に切り替えられるようにした態様である。
【００４７】
配管５ａの途中に流量計１０を設け、制御部８によってその検出値から畜舎１１から排出される有機性廃棄物である家畜糞尿の処理量を計算し、さらにその処理量が、第１処理槽１で行われるメタン発酵の滞留時間の設定値を超えて完全にメタン発酵される処理量である場合には、制御部８は送気手段であるポンプＰを稼動させて第２処理槽２の最上流の槽２１（カバーシート２１ａで覆われている）に空気を送り込み、槽２１を好気性状態にする。  
この際、制御部８は電気信号により、送り込んだ空気を槽２１から外部へ排出させるためバルブ９を開放する。  
【００４８】
一方、流量計１０の検出値から制御部８によって計算された家畜糞尿の処理量が、第１処理槽１で行われるメタン発酵の滞留時間の設定値以下でメタン発酵が不十分となる処理量である場合には、制御部８は送気手段であるポンプＰを稼動させずに、あるいは稼動を停止することにより第２処理槽２の最上流の槽２１を嫌気性状態にする。この際、槽２１を好気性状態から嫌気性状態にする場合は、制御部８は電気信号により開放していたバルブ９を閉じる。他の槽２２，２３，２４は好気性状態に保たれる。
【００４９】
上記のように、流量計１０、制御部８、バルブ９およびポンプＰにより第２処理槽２の最上流の槽２１を好気性状態から嫌気性状態へ、あるいは嫌気性状態から好気性状態へ自動的に切り替えられるようになっている。
【００５０】
次に、第２処理槽２の構成について図４を参照にしながら説明する。  
図４には、第１の実施態様に使用する第２処理槽２の平面図である（Ａ）、第２の実施態様に使用する第２処理槽２の平面図である（Ｂ）および第２処理槽２の他の実施態様の平面図（Ｃ）が示されている。  
なお、第２処理槽２の実施態様は本発明の目的が達成できる態様であれば、図４に示されたものに限定されるものではない。
【００５１】
本発明の各実施態様で使用する第２処理槽２は、直列多槽構造に区画された複数の槽２１、２２、２３，２４が多段的に設けられている構造を有している。  
第２処理槽２は凹形状をしており、その凹形状の内部に堰２ｄ、２ｅ、２ｆを設けて、第２処理槽２内を複数の槽に区画している。堰２ｄ、２ｅ、２ｆの下部には流入部２ａ、２ｂ、２ｃが設けられており、各槽で処理された発酵液が上流の槽から下流の槽へ流れるようになっている。
【００５２】
図４（Ａ）において、流入口２ａ、２ｂ、２ｃは、槽２１、２２、２３、２４の上部が開放されている好気性状態にあるため、堰２ｄ、２ｅ、２ｆの発酵液の液面より上部に設けてもよい。
【００５３】
一方、図４（Ｂ）において、槽２１では、嫌気性処理を行うために槽２１の上部をカバーケース２１ａで覆い外部から空気が入らないようにし、槽２１の内部を密閉状態にして嫌気性状態を保てるようになっている。  
カバーケース２１ａは、槽２１内の嫌気性を保てるものであれば良く、例えば軟質樹脂シートが挙げられる。カバーケースの一部には嫌気性処理によって発生するバイオガスを収集するための収集管６ｂが設けられている。
【００５４】
ここで、カバーシート２１ａは柔軟性を有する軽量のものが好ましい。軟質で軽量であれば発生するガスの圧力によって該カバーシート２１ａが常に発酵液の液面より押し上げられるため、発生するバイオガスを効率よく収集できからである。  
なお、上述したカバーシート２１ａと同様のものを第１処理槽１の上部に使用することも可能である。第１処理槽１の上部にカバーシート２１ａを使用すれば、第１処理槽１の製造コストを低く抑えることができる。
【００５５】
図４（Ｃ）には、第２処理槽の他の実施態様が記載されている。  
本態様では、堰２ｄ、２ｅ、２ｆを、第２処理槽２の縁部から隙間Ｘができるように設けた態様である。図４（Ｃ）のような構造にすることによって、第２処理槽２中の発酵液自体が蛇行して流れるようになり、各槽２１、２２、２３、２４での発酵液の撹拌効果が得られるようになる。  
なお、第２処理槽２の最上流の槽２１で嫌気性処理を行うときは、堰２ｄは槽２１を嫌気状態にするため隙間Ｘを設けずに設置し、槽２１の下部に流出口２ａを設けるようにする。  
【００５６】
図５には、本発明の第３の実施形態が示されている。  
本実施形態では、第２の実施態様において第２処理槽２の構造を各槽２１、２２、２３、２４と独立にして、各槽２１、２２、２３、２４同士を直列に接続した態様である。各槽２１、２２、２３、２４は流出口２ａ、２ｂ、２ｃの部分で接続されている。また、各槽を接続する流出口を設ける場所については、嫌気性処理、好気性処理を考慮して適宜設けるようにする。なお、第２処理槽２の本実施例の構造は、第１の実施態様にも適用できる。
【００５７】
本発明の実施態様では、有機性廃棄物の処理として畜舎から排出される糞尿の処理を例に挙げたが、本発明は当該処理に限定されるものではなく、例えば、生ごみや下水処理汚泥等由来の有機性廃棄物にも適用することができる。
【００５８】
第１の実施態様から第３の実施態様に基づいて本発明を説明したが、本発明は第２処理槽２の少なくとも最上流の槽２１を、第１処理槽１のメタン発酵処理の発酵時間の設定値に基づいて、好気性状態から嫌気性状態へ、または嫌気性状態から好気性状態へ切り替えられるところに特徴がある。
【００５９】
つまり、第１処理槽１の処理に負荷がかからない場合には第２処理槽２で好気性処理を行い、第１処理槽１の処理に負荷がかかる場合には第２処理槽２の少なくとも最上流の槽２１で嫌気性処理を行った後、後段の槽で好気性処理を行うことができるようになっている。言い換えると、第１処理槽１にかかる負荷をバランスよく分散するようになっている。  
そして、そのために本発明は、第２処理槽２の少なくとも最上流の槽２１を、第１処理槽１のメタン発酵処理の状況に応じて、好気性処理と嫌気性処理の双方の処理ができるように切り替え可能な構造として、第２処理槽２を構成している。
【００６０】
以上、本発明は、第１処理槽１にかかる負荷をバランスよく分散する効果を有するため、有機性廃棄物の処理量の最大量にあわせて第１処理槽１を設計する必要がなく、つまり、第１処理槽１をコストをかけて大きい処理槽とする必要が無く、第１処理槽１を小さく設計しコストを抑えると共に、バイオガスの生成量も多く確保することができるという効果を有している。
【符号の説明】
【００６１】
１  第１処理槽、  ２  第２処理槽、  ２ａ、２ｂ、２ｃ  流入部、  ２ｄ、２ｅ、２ｆ  堰、  ３  脱窒装置、  ３ａ  ライン、  ４  脱硫装置、  ５ａ、５ｂ、５ｃ  配管、  ６ａ、６ｂ  バイオガス収集管、  ７  バイオガス利用装置、  ８  制御部、  ９  バルブ、  １０  流量計、  １１  畜舎、  ２１、２２、２３、２４  槽
【００６２】
【特許文献１】特開２００５−１３９０９号公報
【図１】
2010052804.tif 000003
【図２】
2010052804.tif 000004
【図３】
2010052804.tif 000005
【図４】
2010052804.tif 000006
【図５】
2010052804.tif 000007
【国際調査報告】
2010052804.tif 000008
2010052804.tif 000009